(57)【要約】【課題】  ビーコンの送信制御により省電力を行う無線ＬＡＮ（Local Area Network）アクセスポイント装置において、ビーコンの送信が停止されている場合、端末が無線ＬＡＮアクセスポイント装置に接続することができない。【解決手段】  所定のトリガフレームの受信を検知したときビーコンの送信と停止を切り替える制御部を備える。【選択図】      図７
2015070289.tif 000002
【特許請求の範囲】
【請求項１】
所定のトリガフレームの受信を検知したときビーコンの送信と停止を切り替える制御部を備えることを特徴とする無線ＬＡＮ（Local Area Network）アクセスポイント装置。
【請求項２】
無線通信機能が有効または無効にされたとき所定トリガフレームを送信する手段を備えることを特徴とする無線ＬＡＮ端末。
【請求項３】
前記制御部は前記ビーコン送信が停止されているときに前記無線通信機能が有効にされた無線ＬＡＮ端末からの前記所定トリガフレームを検知した場合に、前記ビーコン送信を開始させることを特徴とする請求項１に記載の無線ＬＡＮアクセスポイント装置。
【請求項４】
前記制御部は前記ビーコン送信が行われているときに前記無線通信機能が無効にされた無線ＬＡＮ端末からの前記所定トリガフレームを検知した場合に、他に自装置に接続している無線ＬＡＮ端末を認識しない場合には、前記ビーコン送信を停止させることを特徴とする請求項１に記載の無線ＬＡＮアクセスポイント装置。
【請求項５】
前記制御部はさらに接続された無線ＬＡＮ端末の設定情報を保存し、前記ビーコン送信が停止されているときに前記接続された無線ＬＡＮ端末で前記無線通信機能が有効にされた際の前記所定トリガフレームを検知した場合、前記設定情報を前記接続された無線ＬＡＮ端末との接続のために設定することを特徴とする請求項１、３または４に記載の無線ＬＡＮアクセスポイント装置。
【請求項６】
前記所定トリガフレームは予め登録されているＭＡＣ（Media Access Control）アドレス宛であることを特徴とする請求項２に記載の無線ＬＡＮ端末。
【請求項７】
所定のトリガフレームの受信を検知したときビーコンの送信と停止を切り替える制御工程を備えることを特徴とする無線ＬＡＮアクセスポイント装置の制御方法。
【請求項８】
無線通信機能が有効または無効にされたとき所定トリガフレームを送信する工程を備えることを特徴とする無線ＬＡＮ端末の制御方法。
【請求項９】
前記制御工程は前記ビーコン送信が停止されているときに前記無線通信機能が有効にされた無線ＬＡＮ端末からの前記所定トリガフレームを検知した場合に、前記ビーコン送信を開始させることを特徴とする請求項７に記載の無線ＬＡＮアクセスポイント装置の制御方法。
【請求項１０】
前記制御工程は前記ビーコン送信が行われているときに前記無線通信機能が無効にされた無線ＬＡＮ端末からの前記所定トリガフレームを検知した場合に、他に自装置に接続している無線ＬＡＮ端末を認識しない場合には、前記ビーコン送信を停止させることを特徴とする請求項７に記載の無線ＬＡＮアクセスポイント装置の制御方法。
【発明の詳細な説明】
【技術分野】
【０００１】
本発明は、無線ＬＡＮアクセスポイント装置、端末および制御方法に関する。
【背景技術】
【０００２】
無線ＬＡＮ（Local Area Network）アクセスポイント装置において、無線ＬＡＮ端末の接続の待ち受けのため、常にビーコンが送信されており、端末が接続されていない場合にもビーコンの送信が行われていた。他方、無線ＬＡＮアクセスポイント装置の省電力化は一般的な問題であり、ビーコンの送信は電力を消費する。そのようなビーコンの送信を停止させることにより無線ＬＡＮアクセスポイント装置の消費電力を低減するような技術が特許文献１に開示されている。
【０００３】
特許文献１に開示されている無線ＬＡＮアクセスポイント装置は、自身に接続している端末が存在するか否かを判定する。その結果、自身に接続している端末が存在しない場合、ビーコンの送信を停止するか、もしくはビーコンの送信間隔を長くするようビーコンの送信状態を変化させる。
【先行技術文献】
【特許文献】
【０００４】
【特許文献１】特開２００９−３０２７９８号公報
【発明の概要】
【発明が解決しようとする課題】
【０００５】
特許文献１に開示されている無線ＬＡＮアクセスポイント装置がビーコンの送信を停止している場合、アクティブスキャンがサポートされていない端末は無線ＬＡＮアクセスポイント装置に接続することができない。また、周波数５ＧＨｚ帯のＷ５３／Ｗ５６帯において、端末によるアクティブスキャンを行うことが禁止されている。このように、特許文献１に開示されている技術において、端末が無線ＬＡＮアクセスポイント装置に接続することができなくなってしまう場合がある。
【０００６】
つまり、ビーコンの送信制御により省電力を行う特許文献１記載の無線ＬＡＮアクセスポイント装置においては、ビーコンの送信が停止されている場合、端末が無線ＬＡＮアクセスポイント装置に接続することができないという問題があった。
【０００７】
本発明の目的は、この課題を解決する無線ＬＡＮアクセスポイント装置、端末および制御方法を提供することである。
【課題を解決するための手段】
【０００８】
本発明の無線ＬＡＮアクセスポイント装置は、所定のトリガフレームの受信を検知したときビーコンの送信と停止を切り替える制御部を備えることを特徴とする。
【０００９】
また、本発明の無線ＬＡＮアクセスポイント装置の制御方法は、所定のトリガフレームの受信を検知したときビーコンの送信と停止を切り替える制御工程を備えることを特徴とする。
【発明の効果】
【００１０】
本発明によれば、ビーコンの送信制御により省電力を行う無線ＬＡＮアクセスポイント装置においてビーコンの送信が停止されている場合であっても、端末が無線ＬＡＮアクセスポイント装置に接続することが可能となる。
【図面の簡単な説明】
【００１１】
【図１】本発明の第１の実施の形態における無線ＬＡＮアクセスポイント装置および端末の構成例を示す図である。
【図２】本発明の第１の実施の形態における端末の無線通信機能有効時の動作のフローチャートである。
【図３】本発明の第１の実施の形態における無線ＬＡＮアクセスポイント装置のビーコン送信開始の動作のフローチャートである。
【図４】接続シーケンスを示す図である。
【図５】本発明の第１の実施の形態における端末の無線通信機能無効時の動作のフローチャートである。
【図６】本発明の第１の実施の形態における無線ＬＡＮアクセスポイント装置のビーコン送信停止の動作のフローチャートである。
【図７】本発明の第２の実施の形態における無線ＬＡＮアクセスポイント装置および端末の構成例を示す図である。
【発明を実施するための形態】
【００１２】
本発明の第１の実施の形態について、図面を参照して説明する。
【００１３】
まず、本実施形態における無線ＬＡＮアクセスポイント装置および端末の構成について、図１を参照して説明する。本実施形態における無線ＬＡＮアクセスポイント装置は端末の自装置への接続状況に応じてビーコンの送信開始／停止を切り替えることが可能なものである。
【００１４】
図１は本実施形態における無線ＬＡＮアクセスポイント装置および端末の構成例を示す。無線ＬＡＮアクセスポイント１０は、送信部１１、受信部１２、制御部１３を備え、端末の接続を待ち受け、接続した端末と通信する。端末１００はそのような端末の一つである。
【００１５】
無線ＬＡＮアクセスポイント装置１０の各部を説明する。
【００１６】
送信部１１は、無線フレーム、ビーコンを送信する。
【００１７】
受信部１２は、無線フレームを受信する。
【００１８】
制御部１３は、受信部１２へのＮｕｌｌデータフレームの到来を監視する。その結果、Ｎｕｌｌデータフレームが０．５秒間隔で２回受信されたことを検知したとき、制御部１３は送信部１１のビーコンの送信／停止を切り替える。
【００１９】
端末１００は、自身の無線通信機能が外部から有効または無効にされたとき自身に予め登録されているＭＡＣ（Media Access Control）アドレス宛のＮｕｌｌデータフレームを０．５秒間隔で２回送信する。なお、無線通信機能が無効にされるのに伴って接続が切断される場合は、Ｎｕｌｌデータフレームと一緒にＤｅａｕｔｈ（Deauthentication）も送信される。
【００２０】
次に、本実施形態における無線ＬＡＮアクセスポイント装置１０および端末１００の動作について、図２〜図６を参照して説明する。まず、図２は、本実施形態における端末の無線通信機能有効時の動作を表すフローチャートである。  無線ＬＡＮアクセスポイント装置１０には、当初端末が接続されておらず、ビーコン送信を停止している状態であるものとする。
【００２１】
端末１００は、自身の無線通信機能が外部から有効にされると（Ｓ１１）、接続する無線ＬＡＮアクセスポイント装置１０のＭＡＣアドレスが自身のメモリ（図示せず）に登録されているかを確認する（Ｓ１２）。ＭＡＣアドレスが登録されている場合（Ｓ１２でＹｅｓ）、登録されているＭＡＣアドレス宛のＮｕｌｌデータフレームを作成し０．５秒間隔で２回送信する（Ｓ１３）。ＭＡＣアドレスが登録されていない場合（Ｓ１２でＮｏ）、処理は終了する。
【００２２】
続いて、図３を参照して、本実施形態における無線ＬＡＮアクセスポイント装置のビーコン送信開始の動作を説明する。制御部１３は、受信部１２にて受信されるフレームをモニターしている（Ｓ２１）。制御部１３はＮｕｌｌデータフレームを０．５秒間隔で２回検知すると（Ｓ２２でＹｅｓ）、送信元ＭＡＣアドレスにより端末１００の無線通信機能が有効にされたと認識し、送信部１１へ開始信号を出力する（Ｓ２３）。送信部１１は入力された開始信号によりビーコンの送信を開始する（Ｓ２４）。そのビーコンを受信することにより端末１００は無線ＬＡＮアクセスポイント装置１０を認識し、無線ＬＡＮアクセスポイント装置１０と接続シーケンスを行って接続する。接続シーケンスは、例えば、端末１００にパッシブスキャンがサポートされている場合、図４のようになる。なお、制御部１３は無線通信機能が有効にされた際のＮｕｌｌデータフレームの送信元ＭＡＣアドレスにもとづいて無線通信機能が有効とされた端末を管理する。また、ビーコンの送信が行われている間に他の端末の無線通信機能が有効にされた際のＮｕｌｌデータフレームが検知されてもビーコンの送信状態は変わらない。
【００２３】
続いて、図５を参照して、本実施形態における端末の無線通信機能が無効とされる時の動作を説明する。端末１００が無線ＬＡＮアクセスポイント装置１０と接続している状態で、端末１００は自身の無線通信機能が外部から無効にされると（Ｓ３１）、接続している無線ＬＡＮアクセス装置１０のＭＡＣアドレス宛のＮｕｌｌデータフレームを０．５秒間隔で２回と、Ｄｅａｕｔｈを送信する（Ｓ３２）。なお、端末１００が無線ＬＡＮアクセスポイント装置１０と接続していない状態で、端末１００の無線通信機能が外部から無効にされた場合は、無線ＬＡＮアクセス装置１０のＭＡＣアドレス宛のＮｕｌｌデータフレームのみが送信される。
【００２４】
続いて、図６を参照して、本実施形態における無線ＬＡＮアクセスポイント装置のビーコン送信停止の動作を説明する。制御部１３は受信部１２にて受信されるフレームをモニターしている（Ｓ４１）。制御部１３はＮｕｌｌデータフレームを０．５秒間隔で２回検知すると（Ｓ４２でＹｅｓ）送信元ＭＡＣアドレスにより端末１００の無線通信機能が無効にされたと認識する。なお、Ｄｅａｕｔｈを検知すると送信元ＭＡＣアドレスにより端末１００との接続が切断されたと認識する。制御部１３は端末１００の無線通信機能が無効にされたと認識すると端末１００以外に無線ＬＡＮアクセスポイント装置１０に接続している端末があるかを確認する（Ｓ４３）。接続している端末がある場合（Ｓ４３でＹｅｓ）、ビーコンの送信は継続され、接続している端末がない場合（Ｓ４３でＮｏ）、制御部１３は送信部１１へ停止信号を出力する（Ｓ４４）。送信部１１は入力された停止信号によりビーコンの送信を停止する（Ｓ４５）。なお、制御部１３が、無線通信機能が有効にされていて、一定時間自装置と接続していない端末を無線通信機能が無効にされたと判断するようにしてもよい。
【００２５】
なお、本実施形態では、Ｎｕｌｌデータフレームが受信部にて０．５秒間隔で２回受信されたことをビーコンの送信／停止のトリガとしている。しかしながら、トリガとしてはこれに限らず、無線ＬＡＮアクセスポイント装置で判別可能なものであればよい。また、無線通信機能が有効とされる際のトリガの送信先について、ブロードキャスト送信などを用いて複数の無線ＬＡＮアクセスポイント装置としてもよい。
【００２６】
さらに、制御部１３はＮｕｌｌデータフレームの送信元ＭＡＣアドレスにもとづいて無線通信機能が有効とされた端末を管理しているが、その端末と接続したときにＳＳＩＤ（Service Set Identifier）や暗号化などの設定情報を合わせて管理するようにしてもよい。その際は、無線ＬＡＮアクセスポイント装置のビーコンの送信が停止されている状態から、その端末がビーコン送信を開始させて接続を行う際に、無線ＬＡＮアクセスポイント装置にその設定情報が設定されるようにする。これにより、その端末は元の設定情報のままで接続を行うことが可能となる。
【００２７】
以上のように、ビーコンの送信制御により省電力を行う無線ＬＡＮアクセスポイント装置において、ビーコンの送信が停止されている状態から、端末が無線ＬＡＮアクセスポイント装置に接続することが可能となる。
【００２８】
次に、本発明の第２の実施の形態について、図面を参照して説明する。
【００２９】
まず、本実施形態の無線ＬＡＮアクセスポイント装置および端末の構成について、図７を参照して説明する。
【００３０】
図７は本実施形態における無線ＬＡＮアクセスポイント装置および端末の構成例を示す。無線ＬＡＮアクセスポイント２０は、制御部２１を備え、端末の接続を待ち受け、接続した端末と通信する。端末２００はそのような端末の一つである。
【００３１】
次に、本実施の形態における無線ＬＡＮアクセスポイント装置２０および端末２００の動作について、図７を参照して説明する。
【００３２】
制御部２１は無線ＬＡＮアクセスポイント装置２０にて受信された所定トリガフレームを検知したときビーコンの送信／停止を切り替える。
【００３３】
以上によれば、ビーコンの送信制御により省電力を行う無線ＬＡＮアクセスポイント装置において、ビーコンの送信が停止されている状態から、端末が無線ＬＡＮアクセスポイント装置に接続することが可能となる。
【００３４】
上記の実施の形態の一部または全部は、以下の付記のようにも記載されうるが、以下には限られない。
（付記１）所定のトリガフレームの受信を検知したときビーコンの送信と停止を切り替える制御部を備えることを特徴とする無線ＬＡＮアクセスポイント装置。
（付記２）無線通信機能が有効または無効にされたとき所定トリガフレームを送信する手段を備えることを特徴とする無線ＬＡＮ端末。
（付記３）前記制御部は前記ビーコン送信が停止されているときに前記無線通信機能が有効にされた無線ＬＡＮ端末からの前記所定トリガフレームを検知した場合に、前記ビーコン送信を開始させることを特徴とする付記１に記載の無線ＬＡＮアクセスポイント装置。
（付記４）前記制御部は前記ビーコン送信が行われているときに前記無線通信機能が無効にされた無線ＬＡＮ端末からの前記所定トリガフレームを検知した場合に、他に自装置に接続している無線ＬＡＮ端末を認識しない場合には、前記ビーコン送信を停止させることを特徴とする付記１に記載の無線ＬＡＮアクセスポイント装置。
（付記５）前記制御部はさらに接続された無線ＬＡＮ端末の設定情報を保存し、前記ビーコン送信が停止されているときに前記接続された無線ＬＡＮ端末で前記無線通信機能が有効にされた際の前記所定トリガフレームを検知した場合、前記設定情報を前記接続された無線ＬＡＮ端末との接続のために設定することを特徴とする付記１、３または４に記載の無線ＬＡＮアクセスポイント装置。
（付記６）前記所定トリガフレームは予め登録されているＭＡＣアドレス宛であることを特徴とする付記２に記載の無線ＬＡＮ端末。
（付記７）所定のトリガフレームの受信を検知したときビーコンの送信と停止を切り替える制御工程を備えることを特徴とする無線ＬＡＮアクセスポイント装置の制御方法。
（付記８）無線通信機能が有効または無効にされたとき所定トリガフレームを送信する工程を備えることを特徴とする無線ＬＡＮ端末の制御方法。
（付記９）前記制御工程は前記ビーコン送信が停止されているときに前記無線通信機能が有効にされた無線ＬＡＮ端末からの前記所定トリガフレームを検知した場合に、前記ビーコン送信を開始させることを特徴とする付記７に記載の無線ＬＡＮアクセスポイント装置の制御方法。
（付記１０）前記制御工程は前記ビーコン送信が行われているときに前記無線通信機能が無効にされた無線ＬＡＮ端末からの前記所定トリガフレームを検知した場合に、他に自装置に接続している無線ＬＡＮ端末を認識しない場合には、前記ビーコン送信を停止させることを特徴とする付記７に記載の無線ＬＡＮアクセスポイント装置の制御方法。
（付記１１）前記制御工程はさらに接続された無線ＬＡＮ端末の設定情報を保存し、前記ビーコン送信が停止されているときに前記接続された無線ＬＡＮ端末で前記無線通信機能が有効にされた際の前記所定トリガフレームを検知した場合、前記設定情報を前記接続された無線ＬＡＮ端末との接続のために設定することを特徴とする付記７、９または１０に記載の無線ＬＡＮアクセスポイント装置の制御方法。
（付記１２）前記所定トリガフレームは予め登録されているＭＡＣアドレス宛であることを特徴とする付記８に記載の無線ＬＡＮ端末の制御方法。
【産業上の利用可能性】
【００３５】
本発明は、無線ＬＡＮアクセスポイント装置、端末および制御方法に利用可能である。
【符号の説明】
【００３６】
１０、２０    無線ＬＡＮアクセスポイント
１１    送信部
１２    受信部
１３、２１    制御部
１００、２００    端末
Ｓ１１    無線通信機能有効設定
Ｓ１２    登録ＭＡＣアドレスあるか？
Ｓ１３    Ｎｕｌｌデータフレーム送信
Ｓ２１    受信フレームモニター
Ｓ２２    Ｎｕｌｌデータフレーム検知
Ｓ２３    開始信号出力
Ｓ２４    ビーコン送信開始
Ｓ３１    無線通信機能無効設定
Ｓ３２    Ｎｕｌｌデータフレーム＋Deauth送信
Ｓ４１    受信フレームモニター
Ｓ４２    Ｎｕｌｌデータフレーム検知
Ｓ４３    他接続端末あるか？
Ｓ４４    停止信号出力
Ｓ４５    ビーコン送信停止
【図１】
2015070289.tif 000003
【図２】
2015070289.tif 000004
【図３】
2015070289.tif 000005
【図４】
2015070289.tif 000006
【図５】
2015070289.tif 000007
【図６】
2015070289.tif 000008
【図７】
2015070289.tif 000009